【手続補正書】
【提出日】平成20年8月13日(2008.8.13)
【手続補正１】
【補正対象書類名】特許請求の範囲
【補正対象項目名】全文
【補正方法】変更
【補正の内容】
【特許請求の範囲】
【請求項１】
手術中に軟組織を収縮することができる組立品であって、前記組立品は骨を係合し前記組立品と係合して前記柔らかい組織を収縮することを可能にするアンカー手段を有し、
少なくとも第１の自由端と第２の自由端を持つ１つの収縮腕を有し、前記第２の端部は、前記アンカー手段によって分離可能に保持されており、前記保持は、前記アンカー部材によって、前記少なくとも１つの収縮腕引が前記アンカー部材に対して少なくとも一定の角度だけ移動可能である組立品。
【請求項２】
少なくとも１つの収縮腕は前記第２の端部が通る軸を中心に回転できる請求項１記載の組立品。
【請求項３】
前記アンカーは少なくとも１つのアンカー要素を含む請求項１請求項２記載の組立品。
【請求項４】
前記アンカーは２つのアンカー要素を有し各々前記骨を前記別々の組立品に係合する構造をしている請求項３記載の組立品。
【請求項５】
更に、前記収縮腕の前記第２の端部を受け入れる少なくとも１つの係合部材を含む組立品である請求項４記載の組立品。
【請求項６】
前記保持部材前記収縮腕のために回転軸を提供する請求項５記載の組立品。
【請求項７】
フレーム組立品は少なくとも組立品をねじで骨に固着することができるように少なくとも１つの開口を含む請求項６記載の組立品。
【請求項８】
フレーム組立品はそれぞれ対向する収縮部材を含む請求項７記載の組立品。
【請求項９】
フレーム組立部品は更に係合部材に連なるブリッジからなる請求項８記載の組立品。
【請求項１０】
各収縮腕は各収縮腕の第２の端部に係合し、収縮腕が係合腕を中心に回転させ、長手方向にスライドさせる請求項９記載の組立品。
【請求項１１】
前記各係合腕は前記ブリッジに設けた第１の端部と第２の自由端部を有する請求項１０記載の組立品。
【請求項１２】
フレーム組立品はほぼＵ字形をなし第１および第２の腕が平行し、ブリッジ部材に対しては直角に配置されている請求項１１記載の組立品。
【請求項１３】
前記収縮腕の構造は、少なくとも前記腕の一部を受け入れるように凹状である請求項１２記載の組立品。
【請求項１４】
凹部は腕と係合して、収縮体の前記回転と長手方向へのスライドを許容する請求項１３記載の組立品。
【請求項１５】
フレーム組立部品は開口を含む２次的なブリッジを有し、前記係合腕の前記回転と長手方向へのスライドを許容する請求項１４記載の組立品。
【請求項１６】
第１及び第２のブリッジはそれぞれ１つの開口部を有しアンカー部材を骨に対し固着するために穿通させる請求項１５記載の組立品。
【請求項１７】
収縮腕は前記係合部材の長軸に直角な方向に回転する請求項１６記載の組立品。
【請求項１８】
前記収縮腕は前記回転を弁ならしめるために前記収縮体にグリップ領域を含む請求項１７記載の組立品。
【請求項１９】
前記アンカー要素は骨内に入ると骨セグメントを収縮する請求項１８記載の組立品。
【請求項２０】
前記組立品は骨と軟組織の両方を同時に収縮させる請求項１９記載の組立品。
【請求項２１】
収縮腕は軟組織の収縮能力を増加または減少するために回転を微妙に調節することができる請求項２０記載の組立品。
【請求項２２】
前記各収縮腕は更に前記骨に係合する前記ピンと係合する遠位端部を有する請求項４記載の組立品。
【請求項２３】
前記収縮腕の前記遠位端部は前記収縮腕に回転軸を提供する延伸要素からなる請求項２２記載の組立品。
【請求項２４】
前記アンカーピンはそれぞれスリーブによって保持される請求項２３記載の組立品。
【請求項２５】
前記収縮体の固定は前記遠位端部を中心とする請求項２４記載の組立品。
【請求項２６】
前記それぞれの収縮体を回転を便ならしめる前記手段はグリップハンドルである請求項２５記載の組立品。
【請求項２７】
各骨のアンカーピンは前記骨に係合する先導端部である請求項２６記載の組立品。
【請求項２８】
各収縮腕の遠位端部には、２つの対向ピンが配置されている請求項２７記載の組立品。
【請求項２９】
各骨のアンカーピンは分離可能に前記収縮組立体の収縮腕に分離可能に適合する請求項２８記載の組立品。
【請求項３０】
前記回転を便ならしめる手段ハグリップハンドルである請求項２９記載の組立品。
【請求項３１】
第１の収縮腕は第２の収縮腕はシザーアクションで作動する請求項３０記載の組立品。
【請求項３２】
グリッピングハンドルはユーザーの指を受け入れる開口を備える請求項３１記載の組立品。
【請求項３３】
シザーアクションは前記対向ピンを付勢して骨と係合させる請求項３２記載の組立品。
【請求項３４】
前記ピンが前記骨にアンカーされたされたとき前記収縮要素が対向ピンを介して前記軸を中心として回転する請求項３３記載の組立品。
【請求項３５】
手術中に軟組織を収縮する組立品に用いるための収縮腕であって、前記組立て品は、
骨に係合し、収縮腕によって前記組織をアンカーするようにする組立品を有し、
前記収縮腕は第１の端部と第２の端部を備え、前記第２の端部は前記アンカー部材によって前記収縮腕を分離可能に係合させる構造を含み、アンカー部材による前記係合は、収縮腕の自由端部を前記アンカー部材に対して少なくとも１つの自由度で移動させる収縮腕。
【請求項３６】
腕は前記第２の軸を中心として回転することができる請求項３５記載の収縮腕。
【請求項３７】
軟組織を収縮させ骨を延伸させる組立品に用いるフレーム組立部品であって、前記フレーム組立品は、２つの保持腕からなり、保持腕に連なる第１のブリッジを有し、前記各保持腕は前記ブリッジに取り付けた第１の端部と第２の端部を有し、保持腕はそれぞれ第１の端部と第２の端部を有する少なくとも１つの収縮腕を受け入れて保持し、第２の端部は前記保持腕に分離可能に保持された構造を含んでおり前記収縮腕が前記保持腕を中心として回転し長手方向にスライドするようにするフレーム組立品。
【請求項３８】
更に第１及び第２のブリッジを備え両者は骨とフレーム組立部品に係合するアンカー部材を受け入れる開口を有する請求項３７記載のフレ−ム組立品。
【請求項３９】
フレーム組立体は少なくとも１つの開口を備えネジで組立体に骨を固着する請求項３８記載のフレ−ム組立品。
【請求項４０】
フレーム組立体は各対向する収縮腕を受け入れる２つの保持部材を含む請求項３９記載のフレ−ム組立品。
【請求項４１】
フレーム組立体はさらに保持腕に連なるブリッジを有する請求項４０記載のフレ−ム組立品。
【請求項４２】
前記収縮腕は、収縮腕の第２の端部の対応する形成物に係合し、収縮腕が保持腕を中心に回転し長手方向にスライドする請求項４１記載のフレ−ム組立品。
【請求項４３】
前記各保持腕は前記ブリッジに取り付けた第１の端部と第２の自由端部を有する請求項４２記載のフレ−ム組立品。
【請求項４４】
フレーム組立品はほぼＵ字状の形状をしており、第１と第２の保持腕が平行をなしブリッジ部材に直角に配置される請求項４３記載のフレ−ム組立品。
【請求項４５】
軟組織の創傷縁の収縮と椎骨の延伸を組合わせに用いる組立品であって、前記組立品は、
前記椎骨内に定着させた１対のピンと、
前記ピンと同心的に係合するスリーブと、
前記スリーブを介して前記ピンに延伸力を付加する手段と、
前記１本のピンと係合できる凹部を含む第１の端部と、合致する外形を介して第１収縮装置腕を分離可能に受容するための接続手段を含む第２端部とを有する、第２側部腕とを、含んでおり、
前記対応する接続手段のそれぞれにより、前記軟組織縁を収縮すべく前記収縮装置腕の各々を回転可能に調整することが可能になる組立品。
【請求項４６】
スリーブは同心的に前記ピンに係合し、組立品はさらに収縮力を前記ピンに前記スリーブを介して供給する手段を有する請求項４５記載の組立品。
【請求項４７】
保持腕は、スプライン構造をなし前記収縮腕に前記回転腕の長手方向および回転方向の調整が可能である  噛み合い係合を備える請求項４６記載の組立品。
【請求項４８】
アンカー組立品と１対の収縮腕とを含む収縮組立品に用いる収縮腕であって、前記各収縮腕は、第１の自由端部と前記アンカー組立品と係合する構造を含む第２の自由端部からなり、前記アンカー組立品は、
前記各収縮腕のそれぞれの第２の端部を分離可能に受け入れる１対の保持部材を含むフレーム組立品を含み、
前記保持部材は、それぞれの収縮腕のために１つの回転軸を提供し、
前記フレーム組立体は、これを骨に固着するファスナーを受け入れる開口を含み、
フレーム組立品は骨収容位置を調整可能である収縮腕。
【請求項４９】
前記収縮腕は回転軸を提供する夫々の保持腕に係合する請求項４８記載の収縮腕。
【請求項５０】
前記保持腕は、少なくとも１つの前記腕の対応するスプライン構造と噛み合うスプラインを備える請求項４９記載の収縮腕。
【請求項５１】
少なくとも１つのスプラインは、選択された回転方向において前記収縮腕をロックする請求項５０記載の収縮腕。
【請求項５２】
前記ブレードの対応する構造のアレイと係合する前記保持腕上にスプライン構造のアレイが存在する請求項５１記載の収縮腕。